(57)【特許請求の範囲】
【請求項１】
剛性構造（１）と、及び前記構造（１）に直接的又は間接的に堅固に組み立てられるように構成している少なくとも１つの共鳴部品（２）とを有する腕時計ケース（１００）であって、
前記共鳴部品（２）は、前記構造（１）と前記共鳴部品（２）が、組み立てられた稼働位置にて互いに組み立てられるときに、前記構造（１）と前記共鳴部品（２）の間にて、前記腕時計ケース（１００）が備える少なくとも１つのシール要素（３）を包囲している空洞（４）を前記構造（１）とともに定めており、
少なくとも前記構造（１）又は前記共鳴部品（２）には、溝（５１、５２）があり、
この溝（５１、５２）は、前記シール要素（３）が備えるガスケット（３１、３２）を受け、前記組み立てられた稼働位置にて前記空洞（４）から前記シール要素（３）が外れることを防ぐように構成しており、
当該腕時計ケース（１００）は、剛性の少なくとも１つの突起部分（６１、６２、６３）を有し、
この突起部分（６１、６２、６３）は、前記組み立てられた稼働位置にて、前記ガスケット（３１、３２）を受ける前記溝（５１、５２）の正中領域に対向している少なくとも１つの前記ガスケット（３１、３２）に圧縮力を与えるように構成しており、
前記少なくとも１つの突起部分（６１、６２、６３）は、前記構造（１）、前記共鳴部品（２）又は前記シール要素（３）の一部を形成している
ことを特徴とする腕時計ケース（１００）。
【請求項２】
少なくとも前記構造（１）又は前記共鳴部品（２）は、前記突起部分（６１、６２）を有する
ことを特徴とする請求項１に記載の腕時計ケース（１００）。
【請求項３】
前記シール要素（３）は、単一の前記ガスケット（３１、３２）を有し、
前記構造（１）と前記共鳴部品（２）の一方には、溝（５１、５２）があり、
前記構造（１）と前記共鳴部品（２）の他方には、前記突起部分（６２、６１）がある
ことを特徴とする請求項１に記載の腕時計ケース（１００）。
【請求項４】
前記構造（１）には、第１の溝（５１）があり、前記共鳴部品（２）には、前記第１の溝（５１）から離れた位置に第２の溝（５２）があり、
前記シール要素（３）は、少なくとも第１のガスケット（３１）及び第２のガスケット（３２）を有し、
前記第１のガスケット（３１）及び前記第２のガスケット（３２）は、互いに離れており、前記第１の溝（５１）と第２の溝（５２）の間にて延在しているシールされた膜（３３）によって互いに接続されており、
前記構造（１）は、前記第２の溝（５２）に対向している前記第２のガスケット（３２）と連係するように構成している第１の突起部分（６１）を有し、
前記共鳴部品（２）は、前記第１の溝（５１）に対向している前記第１のガスケット（３１）と連係するように構成している第２の突起部分（６２）を有する
ことを特徴とする請求項１に記載の腕時計ケース（１００）。
【請求項５】
前記シール要素（３）は、２０ショアＡ以下の硬さの少なくとも１つのガスケット（３１、３２）を有する
ことを特徴とする請求項１に記載の腕時計ケース（１００）。
【請求項６】
前記シール要素（３）が備えるガスケット（３１、３２）はそれぞれ、２０ショアＡ以下の硬さを有する
ことを特徴とする請求項５に記載の腕時計ケース（１００）。
【請求項７】
当該腕時計ケース（１００）は、１つが他の１つの内側にあるようないくつかの前記シール要素（３）を有し、前記シール要素（３）は、少なくとも１つのシールされた中間的な体積（４０）の境界を定めている
ことを特徴とする請求項１に記載の腕時計ケース（１００）。
【請求項８】
前記シール要素（３）は、少なくとも１つの前記突起部分（６３）を有する
ことを特徴とする請求項１に記載の腕時計ケース（１００）。
【請求項９】
前記構造（１）には、第１の溝（５１）があり、前記共鳴部品（２）には、前記第１の溝（５１）に実質的に対向する位置に第２の溝（５２）があり、
前記シール要素（３）は、少なくとも第１のガスケット（３１）及び第２のガスケット（３２）を有し、
前記第１のガスケット（３１）及び前記第２のガスケット（３２）は、互いに離れており、剛性の第３の突起部分（６３）によって互いに接続されており、
前記第３の突起部分（６３）は、前記第１の溝（５１）に対向している前記第１のガスケット（３１）と、及び前記第２の溝（５２）に対向している前記第２のガスケット（３２）との両方に連係するように構成している
ことを特徴とする請求項８に記載の腕時計ケース（１００）。
【請求項１０】
前記構造（１）と前記共鳴部品（２）の一方は、前記構造（１）と前記共鳴部品（２）の他方に対する堅固で直接的な取り付けのために少なくとも１つの突起（７）を有する
ことを特徴とする請求項１に記載の腕時計ケース（１００）。
【請求項１１】
前記共鳴部品（２）と前記構造（１）の間の前記堅固な取り付けには、３つの突起（７）を用いる
ことを特徴とする請求項１０に記載の腕時計ケース（１００）。
【請求項１２】
前記構造（１）は、ケース中間部であり、
前記共鳴部品（２）は、風防（９）を担持しているベゼルである
ことを特徴とする請求項１に記載の腕時計ケース（１００）。
【請求項１３】
構造（１）又は腕時計ケース（１００）の共鳴部品（２）に取り付けられた少なくとも１つのゴング又は少なくとも１つの振動プレートを鳴らすように構成している打撃機構又は演奏機構（３００）を有する演奏機能付き計時器（２００）であって、
前記共鳴部品（２）は、所定の周波数範囲内の前記共鳴部品（２）の振動を可能にするように、少なくとも１つの突起（７）によって前記構造（１）に堅固に組み立てられるように構成しており、
前記共鳴部品（２）は、前記構造（１）と前記共鳴部品（２）が、組み立てられた稼働位置にて互いに組み立てられるときに、前記構造（１）と前記共鳴部品（２）の間にて少なくとも１つのシール要素（３）を包囲する空洞（４）を前記構造（１）とともに定め、
前記少なくとも１つの突起（７）は、前記構造（１）と前記共鳴部品（２）の間の唯一の機械的な接続を形成しており、
前記シール要素（３）は、前記構造（１）及び前記共鳴部品（２）に接触する一又は複数のガスケット（３１、３２）を有し、
前記ガスケット（３１、３２）はすべて、２０ショアＡ以下の硬さを有し、
これによって、前記共鳴部品（２）の振動の減衰を抑える
ことを特徴とする計時器（２００）。
【請求項１４】
前記ケース（１００）は、請求項１に記載の腕時計ケースである
ことを特徴とする請求項１３に記載の計時器（２００）。
【請求項１５】
少なくとも前記構造（１）と前記共鳴部品（２）の一方には、溝（５１、５２）があり、
この溝（５１、５２）は、前記シール要素（３）が備えるガスケット（３１、３２）の大断面部（３２０）を受けるように構成しており、
前記構造（１）と前記共鳴部品（２）の他方には、前記溝（５１、５２）に実質的に対向するように、平坦な面（８２、８１）があり、
この平坦な面（８２、８１）は、組み立てられた稼働位置において、前記ガスケット（３１、３２）の小断面リップ部（３１０）を支え、
前記ガスケット（３１、３２）は、実質的に円錐面を有する形を有し、
大断面部（３２０）よりも前記腕時計ケース（１００）の外側の方に位置する前記小断面リップ部（３１０）によって前記空洞（４）を閉じる
ことを特徴とする請求項１３に記載の計時器（２００）。
【請求項１６】
前記共鳴部品（２）は、前記構造（１）に対する堅固で直接的な取り付けのための３つの突起（７）を有する
ことを特徴とする請求項１３に記載の計時器（２００）。
【請求項１７】
前記構造（１）は、ケース中間部であり、
前記共鳴部品（２）は、風防（９）を担持しているベゼルである
ことを特徴とする請求項１３に記載の計時器（２００）。
【請求項１８】
前記腕時計ケース（１００）は、１つが他の１つの内側にあるいくつかのシール要素（３）を有し、
このシール要素（３）は、前記少なくとも１つのシールされた中間的な体積（４０）の境界を定める
ことを特徴とする請求項１３に記載の計時器（２００）。
【請求項１９】
前記腕時計ケース（１００）は、請求項１８に記載の計時器（２００）のシール要素（３）の内側に、請求項１７に記載の計時器（２００）のシール要素（３）を少なくとも１つ有し、
これらの請求項１８に記載の計時器（２００）のシール要素（３）と請求項１７に記載の計時器（２００）のシール要素（３）はともに、シールされた中間的な体積（４０）の境界を定める
ことを特徴とする計時器（２００）。
【請求項２０】
前記ガスケットは、まっすぐな縁がある環状の大断面領域（３２０）を有する閉じた実質的に環状体のガスケットであって、
当該ガスケットは、前記大断面領域（３２０）と同じ側から突き出ている外側の薄い前記小断面リップ部（３１０）及び第２の内側のリップ部（３３０）を有しており、
前記第２の内側のリップ部（３３０）は、外側の薄い前記小断面リップ部（３１０）よりも小さな直径を有し、
当該ガスケットは、外側の薄い前記小断面リップ部（３１０）が備える基礎部分（３５０）とともに、まっすぐな縁がある回転対称性の溝である実質的に環状の体積（３４０）の境界を定める、請求項１５に記載の計時器。
【発明の詳細な説明】
【技術分野】
【０００１】
本発明は、剛性構造と、及び前記構造に直接的又は間接的に堅固に組み立てられるように構成している少なくとも１つの共鳴部品とを有する腕時計ケースに関し、前記共鳴部品は、前記構造と前記共鳴部品が、組み立てられた稼働位置にて互いに組み立てられるときに、前記構造と前記共鳴部品の間にて、前記腕時計ケースが備える少なくとも１つのシール要素を包囲している空洞を前記構造とともに定めており、前記構造及び／又は前記共鳴部品には、溝があり、この溝は、前記シール要素が備えるガスケットを受け、前記組み立てられた稼働位置にて前記空洞から前記シール要素が外れることを防ぐように構成している。
【０００２】
本発明は、さらに、ケースの構造又は共鳴部品に取り付けられた少なくとも１つのゴング又は振動プレートを鳴らすように構成している打撃機構又は演奏機構を有する演奏機能付き計時器に関する。
【０００３】
本発明は、ミニッツリピーター腕時計、アラーム機能を備えた腕時計、ミュージックボックスのような打撃機能付き計時器又は演奏機能付き計時器の分野に関する。
【背景技術】
【０００４】
打撃機能付き計時器又は演奏機能付き計時器、特に、ミニッツリピーター腕時計において、振動音響的な改善をするには、本質的に、打撃機構の音量を大きくすることを可能にする外側要素を改善することも関わっているが、打撃機構がリリースされて打撃機構が発生する音が大きくなるときに、機構のノイズの音量に対する打撃機構の音量の比を増加させることによって、機構のノイズを抑えるような調節要素を改善することも関わっている。
【０００５】
外側要素については、音を放射する風防又は分離されているベゼルによって、広い周波数帯にわたって外側要素の振動の応答を最適化して、これによって、このような外側要素からの放射によって発生する音量を増加させることができる。広い周波数帯にわたって放射出力を大きくするには、これらの外側要素は、その励起周波数とは独立に自由に振動することができなければならない。
【０００６】
外側要素の振動の振幅は、励起周波数と外側要素の周波数との間の良好な周波数同調に依存しているが、ゴングのような振動生成要素と、ベゼル／風防アセンブリーやケースの裏側のような放射要素との間の良好な構造由来の音の伝達にも依存している。したがって、振動生成要素と放射するように意図された要素との間の中間要素によって又は計時器のシールに必要であるが放射要素が自由に振動することを防ぐことがあるガスケットによって減衰せずに、振動を伝搬しやすくしなければならない。
【０００７】
ＲＩＣＨＥＭＯＮＴによるスイス特許ＣＨ６９８７４２Ｂ１は、打撃機構のゴングを計時器の風防に接続するデバイスを開示している。このゴングは、ねじによってムーブメントの一部に固定されているヒール部と一体化されている。このねじは、表盤を越えるように延在しており、その端面を介して風防と一体的な環状の弾性部品の環状のセグメントの下側上に配置される。この環状の弾性部品には、少なくとも４つの環状のセグメントがあり、それぞれは、断面図で見ると、直線状の形を有する。環状の弾性部品の外縁は、シールガスケットによって、ベゼルと計時器のケース中間部との間でクランプされるように意図されている。風防の下にない環状の弾性部品の部分は、完全にベゼルの下に収容される。
【０００８】
ＲＯＬＥＸによる欧州特許出願ＥＰ２３２８０４４Ａ１は、ベゼル及び／又は風防によって又は裏蓋によって閉じられる少なくとも１つの開口があるケース中間部を有する腕時計ケースを開示している。このような開口を閉じる要素の少なくとも１つは、断面において空欠部があるリング又は無限のフレームの形態の弾性金属メンバーによって、ケース中間部に接続されており、この弾性金属メンバーは、非直線状の壁の輪郭によって定められ、その端は、閉じ要素又はケース中間部の周部に連結している。この非直線状の壁の輪郭は、開口の平面に平行な向きの少なくとも１つの環状の折り目を形成しており、この折り目は、９０°〜１８０°の角度を描く弧の曲率によって作られる。これによって、閉じ要素が、開口の平面に対する運動の自由度を有するようになる。
【発明の概要】
【発明が解決しようとする課題】
【０００９】
本発明は、外側要素用のシールガスケットによって通常発生してしまう振動の大きな減衰を回避して、放射するように意図された外側要素の一部が自由に振動することを可能にすることを提案するものである。
【課題を解決するための手段】
【００１０】
このために、本発明は、請求項１に記載の腕時計ケースに関する。
【００１１】
本発明は、さらに、請求項１１に記載の打撃機能付き計時器又は演奏機能付き計時器に関する。
【００１２】
添付図面を参照しながら下記の詳細な説明を読むことで、本発明の他の特徴及び利点を理解することができるであろう。
【図面の簡単な説明】
【００１３】
【図１】本発明に係る打撃機構付き腕時計のケースの一部の概略断面図を示している。これは、風防を担持しているベゼルを有し、このベゼルは、対向している突出要素によって溝内で圧縮されている特別なシリコーンガスケットを包囲しているケース中間部に取り付けられている。
【図２】図１と同様な形態で、このようなガスケットを２つ有するシール要素を用いる変形実施形態を示している。ガスケットはそれぞれ、部品のうちの１つの溝内に収容され、可撓性膜によって接続されている。
【図３】図１と同様な形態で、このようなガスケットを２つ有するシール要素を用いる別の変形実施形態を示している。ガスケットはそれぞれ、部品のうちの１つの溝内に収容され、各ガスケットよりも堅固な要素によって接続されており、この要素は、各ガスケットを対応する溝内に圧縮する。
【図４】図１と同様な形態で、溝内に収容されたより堅固な本体よりも薄いリップ部を有する同じ特別なシリコーンで作られたガスケットの変形実施形態を示している。
【図５】図４と同様な形態で、このガスケットの形の別の変形実施形態を示している。
【図６】図５のケースにおいて、ベゼルとケース中間部の間にてマウント用突起を有している領域を示しており、このケース中間部が、さらに、ハンマーに対向するように示されているゴングを担持しているものを示している。
【図７】図１と同様な変形実施形態を示しており、ケースの２つの異なる直径に対応する領域に設けられた２つの溝のそれぞれが、上記のようなガスケットを１つの有している。
【図８】図８〜１１は、図６のように、ベゼルとケース中間部の間のマウント用突起の異なる変形実施形態を示している。図８においては、マウント用突起が、ケース中間部と一体的であり、剛性が高いものを示している。
【図９】マウント用突起が、ベゼルと一体的であり、非常に可撓性が高いものを示している。
【図１０】マウント用突起が、ベゼルと一体的であり、ケースの軸方向と平行であるものを示している。
【図１１】マウント用突起が、ベゼルと一体的であり、ケースの軸方向に対して傾斜しているものを示している。
【図１２】図１２〜１５は、ケース中間部に対するベゼルの相対的な運動性の概略斜視図を示している。図１２においては、ベゼルの軸がケースの軸と平行であり、３つの突起がケースの軸と平行であるようなピストンモードにあるものである。
【図１３】ベゼルの軸がケースの軸と平行であり、３つの突起がケースの軸と垂直であるようなピストンモードにあるものである。
【図１４】単一の突起の端にて片持ちされているベゼルに対して角度をなしているものである。
【図１５】対向している２つの突起の端に対するヨー軸のまわりをピボット運動するものである。
【図１６】図５のケースにおいて、ケース中間部とベゼルの間にてマウント用突起を有している領域を示しており、このベゼルが、さらに、ハンマーに対向するように示されているゴングを担持しているものを示している。
【図１７】図６と同様な形態で、変形実施形態を示している。マウント用突起は、別の図におけるようにはねじ込まれず、強いクランプによって保持される。
【図１８】図１８〜２０は、ベゼルの２つの対向している点で、風防が直径位置にて直接ベゼル上で保持され、ベゼルの周部の残りの部分上では、風防とベゼルはベゼル用ガスケットによって連結されている実施形態を示している。図１８は、ベゼルの周部の残りの部分上における断面図を示している。
【図１９】ベゼルの２つの対向している点を通る断面の断面図を示している。
【図２０】風防とベゼルを示している平面図と、線Ｂ−Ｂの断面を示している断面図と、及び線Ａ−Ａの断面を示している断面図とを示している。
【図２１】図７と同様な変形実施形態を示している断面図である。ケースの３つの異なる直径上に設けられた３つの溝がそれぞれ、ガスケットを収容しており、最も外側の溝は、図５によるガスケットを有し、最も内側の２つのシール要素は、図２による２つのガスケットを用いる。
【図２２】図１６と同様な変形実施形態を示している断面図である。
【図２３】ガスケットの好ましい変形実施形態を示している断面図である。このガスケットは、ケースが組み立てられているときに、対向している突出要素によって溝ハウジングに押し込まれるように構成しており、このガスケットは、ケースの外側の方に、薄いリップ部を有し、この薄いリップ部は、ここにおいて、ケース中間部の平坦な面に支えられており、高い外圧が与えられたときに、この平坦な面にさらに押されるように構成している。
【図２４】計時器、特に、腕時計、を示しているブロック図であり、この計時器は、上記のようなケースに取り付けられたゴング又は振動プレートを鳴らすように構成している打撃機構又は演奏機構を有している。
【発明を実施するための形態】
【００１４】
本発明は、計時器の外側部分のシールガスケットによって通常発生してしまう振動の大きな減衰を最大限抑えて、ここで「放射要素」と呼ばれる放射するように意図された外側要素が自由に振動することを可能にしつつ、ケース内に囲まれた音響伝達手段と、及び計時器の外側部分のいくつかの要素を用いてユーザーの方に音響振動を放射する手段とを有する計時器を作ることを提案するものである。
【００１５】
振動生成要素と放射要素によって形成される振動音響的な系が効率的であるためには、放射要素が、その固有振動モードで自由に振動することができることが重要である。このような固有振動モードは、主として、その取り付け系によって定められる。放射要素以外の計時器の外側部分に振動が伝搬することを防ぐためには、放射要素と、ケースの最も剛性が高い部分、特に、ケース中間部、との間の接触が最小限度であることが重要である。しかし、この種の外側部分は、耐水性構造に悪影響を与えることが多い。本発明は、計時器のシールを確実にしつつ、振動の伝達を最適化する。
【００１６】
本発明を、打撃機構付き腕時計であるような特別な場合について図示し、説明する。なお、これに制限されない。本発明は、演奏機能付き腕時計、ミュージックボックス、又は他の同様な計時器に直接適用可能である。
【００１７】
腕時計のケースにおいて、ケース中間部と裏蓋によって形成されるアセンブリーは、最も剛性が高い要素であり、ユーザーと直接接触するものである。一般的には、放射要素は、裏蓋の反対側に位置して、ベゼル又は風防を少なくとも有することが好ましい。
【００１８】
本発明を、剛性構造を有する腕時計ケース１００を用いて説明する。そして、この腕時計ケース１００は、ケース中間部を有する。このケース中間部に、伝統的な形態で風防を担持しているベゼルが取り付けられる。当業者であれば、この実施形態を演奏機能付き腕時計などに転換することは容易である。
【００１９】
このように、本発明は、剛性構造１と、及び少なくとも１つの共鳴部品２とを有する腕時計ケース１００に関する。この少なくとも１つの共鳴部品２は、構造１に対して直接的又は間接的に堅固に組み立てられるように構成している。
【００２０】
好ましくは、共鳴部品２は、振動するように意図された膜や部品を有していたとしても、構造１の剛性と同様な剛性を有する少なくとも１つの部分を有しており、また、これらの共鳴部品２及び構造１の剛性部分に取り付けが行われる。
【００２１】
共鳴部品２は、組み立てられた稼働位置において互いに組み立てられているときに、構造１とともに、構造１と共鳴部品２の間において、空洞４を形成している。この空洞４は、この腕時計ケース１００が備える少なくとも１つのシール要素３を囲んでいる。この空洞４は、腕時計ケース１００を包囲している。この空洞４は、構造１に対する共鳴部品２の妨げられない振動が完全振幅で可能になるために十分な軸方向の遊び値Ｊに対応する高さを有する。
【００２２】
構造１及び／又は共鳴部品２には、溝５１、５２が設けられている。この溝５１、５２は、シール要素３が備えるガスケット３１、３２を受け、組み立てられた位置において、空洞４からシール要素３が外れることを防ぐように構成している。
【００２３】
このシール要素３は、以下のアプリオリな相いれない問題に対処しなければならない。すなわち、共鳴部品２の振動にとっての障害を形成しないこと、及び数千ヘクトパスカルの圧力下で水、埃などに対する腕時計の伝統的なシールを確実にすることである。好ましい実施形態の１つにおいて、シール要素３は、少なくとも１つのガスケット３１、３２を有し、このガスケット３１、３２は、前記のような外圧の下での変形した形が常気圧下の安静状態における形とは異なる。好ましくは、このガスケットは、少なくとも１つのリップ部３１０を有し、これは、より堅固なガスケット３２０の本体よりも薄い、このガスケット３２０の本体は、溝又はハウジング内に当該ガスケットを保持するために用いられる。薄いリップ部３１０は、平坦な面８１、８２に支えられており、外圧が大きいほど強くこの平坦な面８１、８２に押される。
【００２４】
本発明によると、腕時計ケース１００は、少なくとも１つの突起部分６１、６２、６３を有し、これは、構造１及び／又は共鳴部品２及び／又はシール要素３の一部を形成している。
【００２５】
特に、少なくとも構造１又は共鳴部品２が、このような突起部分６１及び６２を有する。
【００２６】
特に、この少なくとも１つの突起部分６１、６２、６３は、剛体であり、組み立てられた位置において、溝５１、５２の正中領域に対向している少なくとも１つのガスケット３１、３２に圧縮力を与えるように構成している。この溝５１、５２は、ガスケット３１、３２を受ける。したがって、共鳴部品２が構造１上に組み立てられているとき、シール要素３が共鳴部品２と構造１の間で圧縮されており、突起部分はそれぞれ、溝の内部にてガスケットを圧縮し、これによって、ケース１００をシールする。このようなシール要素を組み立てる方法は、通常の方法ではない。なぜなら、溝は、通常、溝に対向している面があるガスケットの部分を保持するようにはたらき、滑らかな対向する面を支えるからである。また、一般的には、突出要素に対する圧力によってガスケットを損傷してしまうリスクを回避しようとする。
【００２７】
したがって、本発明の範囲内において、ショア硬さが非常に低い、好ましくは、２０ショアＡ以下であるような、シリコーン又は同様な材料のガスケットが選択されることが好ましい。
【００２８】
したがって、シール要素３は、好ましいことに、２０ショアＡ以下の硬さを有する少なくとも１つのガスケット３１、３２を有する。
【００２９】
特に、シール要素３が備えるガスケット３１、３２はそれぞれ、２０ショアＡ以下の硬さを有する。
【００３０】
構造１と共鳴部品２の間の機械的な取り付け系は、特に、少なくとも１つの突起７によって、構造１と共鳴部品２の間に軸方向の遊びＪを確保している。このようにして、最適な振動に必要な軸方向の遊びＪに起因して発生するシールの欠陥は、本発明に係るこの特定のシール要素３によってオフセットされる。
【００３１】
特定の実施形態において、例えば、図２、７又は２１に示すように、腕時計ケース１００は、いくつかのシール要素３を有し、これらは、１つが他の１つの内側にあるようになっており、少なくとも１つのシールされた中間的な体積４０の境界を定めている。
【００３２】
当然、突出部分６１、６２、６３には、鋭い縁がなく、好ましくは、ガスケットを損傷しないようにするために曲がった輪郭を有する。シールガスケット３は、マウントされると、いずれの実運動もしない。このシールガスケット３の機能は、ケース１００内のシールを確実にすることであり、特に、共鳴部品２が振動しても、十分に定められた最大振幅の範囲内で振動する。したがって、シール要素３が備えるガスケット３１、３２はそれぞれ、この振動に耐えて、常に完全なシールを提供できることを確実にすることができる。
【００３３】
突出部分６１、６２は、構造１又は共鳴部品２と一体的に製造することができるが、突出部分６１、６２を構造１又は共鳴部品２に追加することもできる。この点に関して、突出部分６１、６２、６３は、堅固であったり弾性であったりすることができるが、弾性である場合には、圧縮が均等である状況で、関心事のガスケットと比べて少なくとも１０倍変形可能でない。
【００３４】
好ましい実装において、図面に示すように、共鳴部品２は、一又は複数の溝５１、５２に対向している一又は複数のガスケット３１、３２の支持表面に実質的に垂直な軸Ｚに沿って、「ピストン」モードと呼ばれる共鳴モードで振動する傾向がある。したがって、ガスケット３１、３２はそれぞれ、この方向にのみ応力を与えられる。この応力は、０．１０ｍｍ未満であって、通常、１ｍｍの１００分の１のオーダーであるような、非常に抑制された振幅を有する。
【００３５】
第１の変形実施形態において、図１に示すように、シール要素３は、単一のガスケット３１、３２を有し、構造１と共鳴部品２の一方には、１つの溝５１、５２があり、構造１と共鳴部品２の他方には、１つの突起部分６２、６１がある。当然、この第１の変形実施形態から、図７に示した変形実施形態を外挿によって導くことができる。これにおいて、シール要素３は、１つが他の１つの内側にある互いに独立ないくつかのガスケット３１、３２を有する。すなわち、これらのガスケット３１、３２の半径が異なる。また、構造１又は共鳴部品２は、このような溝５１、５２及びこれと対向している突起部分６１、６２を有し、これによって、構造１又は共鳴部品２の相対的な組み立て時に、これらのガスケットのそれぞれは、それを受ける対応する溝の底部の方に、突起部分によって圧縮される。
【００３６】
第２の変形実施形態において、図２に示すように、構造１には、第１の溝５１があり、共鳴部品２には、第１の溝５１から離れた位置に第２の溝５２がある。シール要素３は、互いに一体的な少なくとも第１のガスケット３１と第２のガスケット３２を有する。これらどうしは離れており、第１の溝５１と第２の溝５２の間に延在しているシールされた膜３３によって互いに接続されている。上記と同様な形態で、構造１は、第２の溝５２に対向している第２のガスケット３２と連係するように構成している第１の突起部分６１を有し、共鳴部品２は、第１の溝５１に対向している第１のガスケット３１と連係するように構成している第２の突起部分６２を有する。したがって、三重のシールが行われる。すなわち、対向している形態でガスケット３１、３２のそれぞれによって、そして、膜３３によって、シールが提供される。
【００３７】
第３の変形実施形態において、図３に示すように、構造１には、第１の溝５１があり、共鳴部品２には、第１の溝５１に実質的に対向している第２の溝５２がある。シール要素３は、少なくとも第１のガスケット３１及び第２のガスケット３２を有する。これらは、互いに離れており、第３の剛性突起部分６３によって互い接続されている。この第３の剛性突起部分６３は、第１の溝５１に対向している第１のガスケット３１及び第２の溝５２に対向している第２のガスケット３２の両方と連係するように構成している。シール要素３は、第１のガスケット３１及び第２のガスケット３２を形成しているシリコーン被覆を用いて、また、第３の剛性突起部分６３をオーバーモールドすることによって達成することができる。この第３の剛性突起部分６３は、例えば、硬いプラスチック材で作られる。第３の剛性突起部分６３は、溝５１及び５２の内部にモールドされ堆積されるシリコーンガスケット３１及び３２によって挟まれて保持される堅固なリングによって構成することができる。このリングは、構造１又は共鳴部品２のいずれとも接触せず、これによって、いずれの剛性接触をも回避する。また、リングは、ケース１００の軸方向の軸Ｚに対して面が傾いている円錐面を有する形態であることができる。
【００３８】
図面には、突起部分６２及び６１がそれぞれ、閉じたリブであり、ケース１００の形に対応している形を有するような、好ましい変形実施形態を示している。
【００３９】
これらの変形実施形態において、突出部分６２、６１は、構造１と共鳴部品２の一方と一体的であり、その要素に対して、溶接、ろう付け又は直接機械加工される。
【００４０】
また、シール要素３又はこれが備えるガスケット３１、３２の１つが、必ずしも追加の要素ではなく、適切な溝の内部で直接モールドされるシリコーンで作ることかできることに留意すべきである。
【００４１】
図４〜６は、このようなケース１００を製造する別のモードを示しており、構造１又は共鳴部品２には、平坦な面８１、８２があり、これに対向している部品には、溝５１、５２内に保持された、実質的に円錐の面を有する形のガスケットについての、断面が最も大きな大断面部３２０があり、このガスケットは、小断面リップ部３１０の方に向かって徐々に薄くなる。このリップ部３１０は、前記対向している平坦な面８１、８２と連係している。ここでまた、ガスケットはほとんど静的であり、共鳴部品２が可能な限り自由に振動することを可能にしつつ、水や汚れの進入を防ぐ機能がある。そして、好ましくは、このガスケットも、非常に低いショア硬さ、好ましくは、２０ショアＡ以下の硬さのシリコーンなどで作られる。
【００４２】
構造１と共鳴部品２の間の機械的な接続は、いくつもの異なる方法で達成することができる。好ましくは、この接続は、ほとんどの共鳴器２が２つの剛性接続の間にて可能な限り自由に振動することができるように、相当に大きく分離される。図６〜１７は、構造１及び／又は共鳴部品２と一体的であるような突起を介しての接続を示している。なお、これに制限されない。したがって、特定の変形実施形態において、構造１と共鳴部品２の一方は、これを構造１と共鳴部品２の他方に堅固に直接的に取り付けるための少なくとも１つの突起７を有する。特に、共鳴部品２と構造１の間の堅固な取り付けによって達成される機械的な接続は、３つの突起７を有する。
【００４３】
これらの突起７は、分解を可能にするようにねじ込むことができるようにすることができ、また、押し込み、溶接、ろう付けなどをすることもできる。図１７は、１つの突起７がばね７０によって固定保持されており、これによって、容易な分解が可能になるような特定の変形実施形態を示している。当然、この場合、ねじなどを介して構造１と共鳴部品２の間の運動距離を制限する手段を設ける。図８〜１１は、突起７の異なる変形実施形態を示しており、これらの突起７は、剛性が高かったり低かったりし、又は逆に弾性であったりする。
【００４４】
図６は、ケース中間部１に取り付けられハンマー３０１によって打たれるゴング３０２を示している。これに対し、図１６及び２２は、ベゼル２と一体的にマウントされたこのようなゴングを示している。ハンマー、ドラム又は他の要素によってこの振動生成要素が活性化されると、振動がベゼル／風防のアセンブリーに直接伝搬する。図２２は、ケース１００が、幅が３．８ｍｍ、高さが２．９ｍｍ、厚みが０．６ｍｍであるような３つの金製の突起を有するような特定の場合を示している。この実施形態において、ベゼル２は、風防９を通して見ることができるゴング３０２を担持している。
【００４５】
腕時計ケース１００の特定の実施形態において、図に示すように、構造１は、ケース中間部であり、これは、特に、裏蓋１１に取り付けられており、共鳴部品２は、直接又は風防用ガスケット９０を介して風防９を担持しているベゼルである。この点に関して、風防用ガスケット９０を有する変形実施形態において、風防９が最良の状態で共鳴するためには、シール要素３の一又は複数のガスケットと同じ基準にしたがって、風防用ガスケット９０の材料が選ばれる。この材料は、特に、非常に低いショア硬さ、好ましくは、２０ショアＡ以下の硬さのシリコーン又は類似材料で作られる。
【００４６】
図１２及び１３は、ピストンモードでのケース１に対するベゼル２の軸方向Ｚの振動を示しており、第１のケースには、軸Ｚと実質的に平行な３つの突起７があって、これらは、座屈又は伸長によってはたらき、第２のケースには、曲がることによってはたらく軸Ｚに垂直な３つの突起７がある。
【００４７】
図１４は、単一の突起７によって保持されケース中間部１に取り付けられる軸Ｚと平行なベゼル２を示しており、ベゼル２は、片持ちされ、角度的に回転振動する。
【００４８】
図１５は、軸Ｚと平行な２つの突起７によって保持されるベゼル２を示しており、この２つの突起７は、ケース中間部１に取り付けられ、実質的に直径上の反対側にあり、このような状況で、ベゼルは、これらの２つの突起７の端の間のヨー軸のまわりをピボット運動する傾向がある。
【００４９】
なお、ベゼル２に対する風防９の取り付けは、同様な変形実施形態にしたがって達成することができ、したがって、共鳴は、
−  ケース中間部１に対するベゼル２の振動と、
−  ベゼル２に対する風防９の振動と
を組み合わせることができる。
【００５０】
例えば、図１８〜２０は、ベゼル２の２つの直径上の反対側の点においてベゼル２上に直接保持されている風防９を示しており、ベゼル２の周部の残りの上では、風防とベゼルはベゼル用ガスケットによって連結されている。
【００５１】
図２３は、ガスケットの好ましい変形実施形態を示している。このガスケットは、ケースが組み立てられるときに、対向している突出要素６１によってガスケットの溝ハウジング５２内にて押し込まれるように構成しており、このガスケットは、ケースの外側の方に、外側の薄いリップ部３１０を有する。これは、ここにおいて、ケース中間部１の平坦な面８１上に支えられており、高い外圧を受けたときに、この平坦な面８１上にさらに押されるように構成している。ケース１００が閉じているときに、突出要素６１、６２を介してのこのガスケットの圧縮は、薄いリップ部３１０が傾斜の効果によって平坦な面８１、８２上に支えられることを強いる。そして、この支えは、外圧が与えられることによって強化される。具体的には、このガスケットは、外側の薄いリップ部３１０よりも小さな直径の上に配置される第２の内側のリップ部３３０を有し、この第２の内側のリップ部３３０は、（ケースの軸に垂直な平面に対して）薄いリップ部３１０と同じ側から、大断面領域３２０に対して突き出ている。この領域３２０は、対応する溝５２の全体積を占めるように計算される領域であり、領域３２０の輪郭は、溝５２の輪郭に対して実質的に相似な形であり、このことによって、薄いリップ部３１０が対応する平坦な面８１上に支えられるように薄いリップ部３１０の向きが確実になる。領域３２０の輪郭は、薄いリップ部３１０の基礎部分３５０とともに、実質的に環状の体積３４０の境界を定め、この体積３４０は、対向している突出要素６１、６２を覆うように構成している。さらに具体的には、ケース１００の軸を中心とする半径方向の線上で測定される、ガスケットの自由状態におけるこの環状の体積３４０の幅は、突出要素６１、６２の幅よりも小さい。ガスケットは、この突出要素６１、６２用に具体的に構成する。特に、大断面領域３２０は、まっすぐな縁があるような環状であり、まっすぐな縁がある溝５２と連係し、体積３４０は、まっすぐな縁がある回転対称な溝であり、まっすぐな縁がある突出要素６１と連係する。ガスケットは、自由状態において、閉じられた実質的に円環状である又は回転対称性であるガスケットである。
【００５２】
本発明は、さらに、演奏機能付き計時器２００に関する。すなわち、音、打撃、アラーム、ミュージックボックス又は同様な機構を有する。この計時器２００、特に、腕時計は、打撃機構又は演奏機構３００を有する。これは、例えば、ハンマー３０１、ピンシリンダー又は他の同様な手段を介して、少なくとも１つのゴング３０２、又は構造１やケース１００の共鳴部品２に取り付けられる振動プレートを共鳴させるように構成している。
【００５３】
本発明によると、共鳴部品２は、共鳴部品の振動が所定の周波数範囲内であることを可能にする少なくとも１つの突起７によって、構造１に堅固に組み立てられるように構成している。共鳴部品２は、共鳴部品２と構造１が、組み立てられた稼働位置に、互いに組み立てられるときに、構造１と共鳴部品２の間にて少なくとも１つのシール要素３を包囲する空洞４を構造１とともに定める。このシール要素３、そして、一方及び他方における突起又は前記少なくとも１つの突起７は、構造１と共鳴部品２の間の唯一の機械的な接続を形成する。シール要素３は、構造１及び共鳴部品２に接触する一又は複数のガスケット３１、３２を有し、すべてのガスケット３１、３２は、２０ショアＡ以下の硬さを有し、これによって、共鳴部品２の振動の減衰を最小にする。これらのガスケットは、特に、シリコーンで作られている。
【００５４】
第１の実施形態において、計時器２００は、上記の図１〜３の変形実施形態のいずれかによる腕時計ケースであるようなケース１００を有する。
【００５５】
第２の実施形態において、図４又は５に示すように、少なくとも構造１又は共鳴部品２には、溝５１、５２が形成されている。これは、シール要素３が備えるガスケット３１、３２の大断面部３２０を受けるように構成している。この場合に、構造１と共鳴部品２の一方には、このような溝５１、５２が１つあり、構造１と共鳴部品２の他方には、溝５１、５２に実質的に対向するように、平坦な面８１、８２がある。この平坦な面８１、８２の上に、組み立てられた位置において、ガスケット３１、３２の小断面リップ部３１０を支えている。ガスケット３１、３２は、実質的に円錐面を有する形であり、小断面リップ部３１０によって空洞４を閉じる。このリップ部３１０は、自動車のトランスミッションにおけるリップシールのように、大断面部３２０よりも腕時計ケース１００の外側の方に配置されている。
【００５６】
構造１と共鳴部品２の間の相対的な取り付けは、一又は複数の突起７を用いる上記の方法によって達成することができ、腕時計ケース１００に関連する説明全体をこの計時器２００に適用することができる。
【００５７】
当然、図２１の例におけるように、第１の実施形態と第２の実施形態を組み合わせることができる。この場合、腕時計ケース１００は、１つが他の１つの内側にあるようないくつかのシール要素３を有し、これは、少なくとも１つの中間的なシールされた体積４０の境界を定める。特に、突出要素６１、６２と連係しているシール要素は、円錐面を有する形のガスケット及び薄いリップ部を備えたシール要素よりも腕時計ケース１００の内側の方に位置している。
【００５８】
本発明に係る振動音響的な系は効率的である。なぜなら、ここで共鳴部品２である放射要素がその固有振動モードで自由に振動することができるからである。ベゼルとケース中間部の間の接触は最小である。これは、突起又は同様な手段によってベゼルが剛性ケース中間部に取り付けられて、ケースの周部全体にわたってベゼルとの直接的な接触を回避しているような設計に起因している。
【００５９】
本発明は、電鋳法によって製造される外側要素とともに用いることができる。この電鋳法においては、この種の部品が非常に薄い構造であるために、実際の部品を破損させないように水圧に耐えるために、ガスケットが必要である。具体的には、金合金で作られた電気鋳造されたベゼル又はケース中間部が、本発明の実装に適している。
【００６０】
短く書くと、本発明は、腕時計の外側部分の少なくとも３つの部品の特定のアセンブリーに関する。これにおいて、
−  ２つの部品は、腕時計ケースの２つの堅固な剛性体積を形成している部分によって形成されている。この部分は、例えば、ベゼルとケース中間部、裏蓋とケース中間部、ベゼルと風防、裏蓋と風防、裏蓋とベゼルである。
−  少なくとも１つの部品は、ケースの操作時に高度な変形が可能な少なくとも１つのガスケットを有するシール要素であり、これは、例えば、ショア硬さが非常に低いシリコーンガスケットである。
−  ２つの堅固な剛性体積の少なくとも一方は、ケース機能時に他方の堅固な体積の表面に対向している表面に溝がある。
−  ケースの形を有する１つの部品は、２つの堅固な体積の直径に対応する直径を有する回転性の体積内で内接されていてもよく、剛性又は弾性である。この部品が弾性である場合、用いるガスケットよりも少なくとも１０倍均等な圧縮で変形させることが困難なものを用いる。
【００６１】
本発明には、相当に大きい利点がある。
−  放射するように意図された振動要素と腕時計ケース又は類似の構造との間において必要とされるシール手段における振動の損失を抑える。
−  振動の減衰を減らして、音が長く持続するようにする。
−  この種の手法の利点を享受している計時器の外側部分の音響性能を改善させる。
【符号の説明】
【００６２】
１  構造
２  共鳴部品
３  シール要素
４  空洞
７  突起
９  風防
３１、３２  ガスケット
３３  シールされた膜
４０  シールされた中間的な体積
５１、５２  溝
６１、６２、６３  突起部分
８２、８１  平坦な面
９０  風防用ガスケット
１００  腕時計ケース
２００  計時器
３００  打撃機構又は演奏機構
３１０、３３０  リップ部
３２０  大断面部
３４０  体積
３５０  基礎部分
【図１】
0006345822.tif 000002
【図２】
0006345822.tif 000003
【図３】
0006345822.tif 000004
【図４】
0006345822.tif 000005
【図５】
0006345822.tif 000006
【図６】
0006345822.tif 000007
【図７】
0006345822.tif 000008
【図８】
0006345822.tif 000009
【図９】
0006345822.tif 000010
【図１０】
0006345822.tif 000011
【図１１】
0006345822.tif 000012
【図１２】
0006345822.tif 000013
【図１３】
0006345822.tif 000014
【図１４】
0006345822.tif 000015
【図１５】
0006345822.tif 000016
【図１６】
0006345822.tif 000017
【図１７】
0006345822.tif 000018
【図１８】
0006345822.tif 000019
【図１９】
0006345822.tif 000020
【図２０】
0006345822.tif 000021
【図２１】
0006345822.tif 000022
【図２２】
0006345822.tif 000023
【図２３】
0006345822.tif 000024
【図２４】
0006345822.tif 000025